(57)【要約】【課題】手・指によくフィットし使い心地が良く、不注意で一方の箸を落としてしまうといったことのない一対の箸を提供する。【解決手段】二本を一組として使用する一対の箸１ａ，１ｂであって、少なくとも一方の箸１ｂが弾性に優れ、両箸１ａ，１ｂの基端部２ａ，９ａに互いに係脱自在に係合する係合部４と被係合部１１を設け、いずれか一方の箸１ａの基端部２ａ側に寄った位置に係合部４と被係合部１１を係合させた状態で先端が他方の箸１ｂに当接する支点突部５を設け、支点突部５が他方の箸１ｂに当接したとき両箸１ａ，１ｂの先端部２ｂ，９ｂ間の寸法は所定の間隔に保持されている。【選択図】図５
2013017544.tif 000002
【特許請求の範囲】
【請求項１】
二本を一組として使用する一対の箸であって、
少なくとも一方の箸が弾性に優れ、
前記両箸の基端部に互いに係脱自在に係合する係合部と被係合部を設け、
いずれか一方の箸の基端部側に寄った位置に前記係合部と被係合部を係合させた状態で先端が他方の箸に当接する支点突部を設け、
前記支点突部が他方の箸に当接したとき両箸の先端部間の寸法は所定の間隔に保持されていることを特徴とする一対の箸。
【請求項２】
前記係合部と被係合部を係合させた状態で、一方の箸の先端部であって他方の箸と対向する面に長手方向に対して直交する横溝を設け、他方の箸の先端部には一方の箸と対向する面に沿って該他方の箸の幅よりも広い挟着部を設けると共に該挟着部の側縁に切欠を設けた請求項１記載の一対の箸。
【発明の詳細な説明】
【技術分野】
【０００１】
本発明は、食事に際し料理を食べるために使用する一対の箸に関するものである。
【背景技術】
【０００２】
古来より、日本人は食事に際し椀や皿に盛られた料理を食べるに一対の箸を使用している。箸は、例えば竹、木、金属、プラスチックといった種々の素材のものが有り、一般に先端側が細く基端側が太くなるようにして形成され二本を一組として使用されている（例えば、特許文献１，２参照。）。
【先行技術文献】
【特許文献】
【０００３】
【特許文献１】特開２０１０−２５９６２５号公報（第４−５頁、図１）
【特許文献２】特開２００８−４９１０６号公報（第２−３頁、図１）
【発明の概要】
【発明が解決しようとする課題】
【０００４】
ところで、二本一組すなわち一対の箸を使って料理を挟んで口に運ぶことは、手・指の細やかな神経が必要であるところ、歳を取ると足腰が弱ると共に手の神経も働き難くなるばかりか力も弱くなり、それまでのように器用に箸を扱うことが難しくなってくる。また、プラスチック製の箸では滑り易く、食事時に一方の箸を不注意により床に落としてしまうことが多々有る。このように、床に落した箸は不潔であることから、台所にまで行って洗わなくてはならず極めて面倒である。
【０００５】
そこで、本発明は上記課題を解決すべくなされたもので、手・指によくフィットして使い心地が良く、不注意で一方の箸を落としてしまうといったこともない一対の箸を提供することを目的とするものである。
【課題を解決するための手段】
【０００６】
かかる目的を達成するため本発明の一対の箸は、二本を一組として使用する一対の箸であって、少なくとも一方の箸が弾性に優れ、前記両箸の基端部に互いに係脱自在に係合する係合部と被係合部を設け、いずれか一方の箸の基端部側に寄った位置に前記係合部と被係合部を係合させた状態で先端が他方の箸に当接する支点突部を設け、前記支点突部が他方の箸に当接したとき両箸の先端部間の寸法は所定の間隔に保持されていることを特徴とする。
【０００７】
また、この際、前記係合部と被係合部を係合させた状態で、一方の箸の先端部であって他方の箸と対向する面に長手方向に対して直交する横溝を設け、他方の箸の先端部には一方の箸と対向する面に沿って該他方の箸の幅よりも広い挟着部を設けると共に該挟着部の側縁に切欠を設けるようにすることが好ましい。
【発明の効果】
【０００８】
本発明に係る一対の箸は、二本を一組として使用する一対の箸であって、少なくとも一方の箸が弾性に優れ、両箸の基端部に互いに係脱自在に係合する係合部と被係合部を設け、いずれか一方の箸の基端部側に寄った位置に係合部と被係合部を係合させた状態で先端が他方の箸に当接する支点突部を設け、支点突部が他方の箸に当接したとき両箸の先端部間の寸法は所定の間隔に保持されている構成からなる。このように、二本の箸を基端部側で係合部と被係合部とにより係合させるようにしたので、二本の箸の必要のない動作が自動的に規制され安定することから、手に持ったときの感覚が良い。しかも、両箸の先端部を互いに近づけようとすると、両先端部が互いに反発して離れようとする弾性力が働くので、例えば焼き魚の身に切れ目を入れてそこを広げて身を剥がしたり、ハンバーグに切れ目を入れそこを広げて小分けする場合に、その反発力が切れ目を広げようとする方向へ働くので、切れ目が広げ易くこれら魚やハンバーグといった料理が食べ易い。しかも、一対の箸は基端部で連結されているので、食事中にその一方を不注意で滑らせ落すといったことがない。食後は両箸の基端部の係合を外すことにより二本の箸に分離できるので、通常の箸と同様に洗浄がし易く清潔さを保つことができる。
【０００９】
また、係合部と被係合部を係合させた状態で、一方の箸の先端部であって他方の箸と対向する面に長手方向に対して直交する横溝を設け、他方の箸の先端部には一方の箸と対向する面に沿って該他方の箸の幅よりも広い挟着部を設けると共に該挟着部の側縁に切欠を設けるようにすれば、例えば輪切りにした煮物の大根を食する場合、小分けした大根を一方の箸の先端部で突き刺すと共に他方の先端部の挟着部をその小分けした大根の側面に密着させしっかりとその大根を掴むことができる。よって、小分けした大根が箸から滑り落ちるといったことがなく、食べ易い。
【図面の簡単な説明】
【００１０】
【図１】本発明に係る一対の箸の斜視図。
【図２】同分解した状態の斜視図。
【図３】（イ）は一方の箸の被覆部位の断面図、（ロ）は他方の箸の被覆部位の断面図。
【図４】本発明に係る一対の箸の作用を説明する側面図。
【図５】同一対の箸を手に持った状態の斜視図。
【図６】同一対の箸の使用状態を示す斜視図。
【図７】同一対の箸の使用状態を示す斜視図。
【発明を実施するための形態】
【００１１】
以下、本発明に係る一対の箸の最良の実施の形態を図面に基づき詳しく説明する。図１は本発明に係る一対の箸の斜視図、図２は同分解した状態の斜視図、図３（イ）は一方の箸の被覆部位の断面図、同（ロ）は他方の箸の被覆部位の断面図である。本発明に係る一対の箸Ａは金属製、すなわちステンレス製の箸である。詳しくは、一方の箸１ａがステンレス鋼により製作され他方の箸１ｂがステンレスバネ鋼によって製作されている。このステンレスバネ鋼は熱間圧延処理によって成形され非常に弾性に優れている。よって、繰り返し荷重（例えば、箸を湾曲させるような力）が加わっても、ほとんど変形しない。その弾性力は、通常の子供用、大人用または年寄り用としてそれら人の指の力を考慮して設定される。これら箸１ａ，１ｂを、それぞれステンレス鋼またはステンレスバネ鋼としたが、所要の弾力性が得られるといった条件が揃えば、他に例えば竹製またはプラスチック製であっても良い。
【００１２】
一方の箸１ａは細幅の帯状ステンレス鋼板から形成され、厚みが３〜４ｍｍの範囲内で設定される。そして、胴部２の基端部２ａに差込口３を残して係合部としての円弧状部４が湾曲して設けられている。また、胴部２の基端部２ａ側に寄った位置に、所定長さの支点突部５が直交状に設けられている。この支点突部５は、係合部である円弧状部４を後記する被係合部である通孔１１に挿通して係合させた状態で、その先端が他方の箸１ｂの胴部９に当接するようになっている。更に、胴部２の先端部２ｂには、前記円弧状部４を通孔１１に挿通して係合させた状態で、他方の箸１ｂと対向する面に胴部２の長手方向に対して直交する二条の横溝６，６が設けられている。その先端は少し尖っており、料理を突くに適したように形成されている。
【００１３】
前記一方の箸１ａにおける胴部２の長手方向に沿った中間地点より上方部位であって、前記支点突部５を設けた面とは反対側の面に、一定の範囲に亘り長手方向に対し直交する方向の断面形状が山型をなす突条７がその長手方向に沿って複数個列設されている。そして、その突条７が設けられた一定の範囲に亘り胴部２に被覆部８が被着されている。被覆部８は胴部２に被せて嵌められるように筒状になっており、胴部２に被せた後は前記複数の突条７が被覆部８の内周面に食い込み抜け止めの機能を果たす。該被覆部８はシリコン・テフロン（登録商標）系樹脂により成形され柔軟性を備えており、この部位に手や指の一部が当たることになる。この被覆部８の耐熱温度は約２２０度である。
【００１４】
他方の箸１ｂは細幅の帯状ステンレスバネ鋼板から成形され、厚みが約１．５ｍｍであって前記のように弾性に優れている。該胴部９の基端部９ａに該胴部９よりも幅の広い幅広部１０が形成されると共に、該幅広部１０に前記一方の箸１ａにおける円弧状部４を挿通する被係合部としての横長状の通孔１１が開設されている。また、胴部９の先端部９ｂには、前記円弧状部４を通孔１１に挿通して係合させた状態で、一方の箸１ａの胴部２と対向する面に沿って胴部９よりも幅広の略楕円板状の挟着部１２が設けられると共に、該挟着部１２の両側縁にそれぞれ一対の切欠１３，１３が設けられている。この挟着部１２は一方の箸１ａの胴部２の先端部２ｂと対向する面が少し窪んで窪み面１２ａが形成されており、各種料理をその側面に当接して挟むのに適したように形成されている。
【００１５】
前記他方の箸１ｂにおける胴部９の長手方向に沿った中間地点より上方部位であって、前記一方の箸１ａの被覆層８と位置的に対応するようにして、両側縁にそれぞれ対称に位置して先端の尖った複数の凸部１４，１４が突設されている。そして、胴部９に沿って上端と下端に位置する凸部１４，１４間に被覆部１５が被着される。この被覆部１５は胴部９に被せて嵌められるように筒状になっており、胴部９に被着した後は前記複数の凸部１４が被覆部１５の内周面に食い込み抜け止めの機能を果たす。また、該被覆部１５もシリコン・テフロン（登録商標）系樹脂により成形され柔軟性を備えており、この部位に手や指の一部が当たることになる。この被覆部１５の耐熱温度も約２２０度である。
【００１６】
このように本発明に係る一対の箸Ａは一組の箸１ａ，１ｂとからなり、食事をする際には基端部２ａに円弧状部４を有する一方の箸１ａと基端部９ａに通孔１１を有する他方の箸１ｂとをそれら先端部２ｂ，９ｂの横溝６，６と挟着部１２の窪み面１２ａとが互いに対向位置するようにしてほぼ平行に配置する。そして、そのまま他方の箸１ｂを基端部９ａを中心としてほぼ２７０度位回動し、この状態で通孔１１に円弧状部４を挿通する。挿通した後は、他方の箸１ｂを再び逆方向へ回動してほぼ元の位置に戻す。戻った状態では、一方の箸１ａに設けられた支点突部５の先端が他方の箸１ｂの胴部９に当接し、また、両箸１ａ，１ｂの先端部２ｂ，９ｂ間の寸法は所定の間隔、すなわち２０〜３０ｍｍ程度離れており、食べ易い間隔になっている。
【００１７】
そこで、図４矢印に示すように他方の箸１ｂに一方の箸１ａ側へ押す力Ｐを加えると、他方の箸１ｂが同図鎖線に示すように支点突部５を支点として、それより先端部９ｂ側がその弾性に抗して一方の箸１ａ側へ撓む。そして、他方の箸１ｂの先端部９ｂが一方の箸１ａの先端部２ｂに合わさる。この状態で、前記他方の箸１ｂを押す力Ｐを除くと、他方の箸１ｂがその弾性による復元力で同図実線位置に戻ることになる。
【００１８】
本発明に係る一対の箸Ａは上記構成からなり、図５に示すように基端部２ａ，９ａで連結された二本の箸１ａ，１ｂを一方の手Ｒで持ち、支点突部５を有する一方の箸１ａを親指ｔ側に位置させると共に弾性に優れた他方の箸１ｂを人差し指ｈ側へ位置させる。そして、両被覆部８，１５の基端部２ａ，９ａ側を前記指ｈ，ｔの間に当てると共に、一方の被覆部８の先端部２ｂ側に親指ｔの指先を当て、他方の被覆部１５の先端部９ｂ側に人差し指ｈの指先を当てる。この状態で、人差し指ｈの指先に力を入れ他方の箸１ｂをその弾性に抗して一方の箸１ａ側へ押す。これにより、該他方の箸１ｂが支点突部５を支点として撓み、その先端部９ｂが一方の箸１ａの先端部２ｂに接近し、最終的には合わさる。これによって、食事に出されるご飯、魚、肉、野菜を両箸１ａ，１ｂの先端部２ｂ，９ｂにより挟んで食することができる。なお、支障がなければ逆に支点突部５を有する一方の箸１ａを人差し指ｈ側に位置させると共に弾性に優れた他方の箸１ｂを親指ｔ側へ位置させるようにしても良い。
【００１９】
このうち、例えば図６に示すように焼き魚の身Ｆに切れ目を入れ、そこを広げて身Ｆを剥がす場合、図４鎖線に示したように他方の箸１ｂを一方の箸１ａ側へ撓ませてその先端部９ｂを一方の箸１ａの先端部２ｂに合わせる。そして、この状態で合わさった先端部２ｂ，９ｂを焼き魚の身Ｆ内に差し込み切れ目を開く。この際、両箸１ａ，１ｂに互いに離れようとする力が働くので、指先のみで切れ目を開く場合に比べ小さい力で済む。よって、焼き魚の身Ｆが離れ易く食べ易くなる。これは指の力、特に指を外側へ広げる力、の弱くなった年寄りには都合が良い。
【００２０】
また、例えば図７に示すように輪切りにした煮物の大根Ｄにあっては、小分けした大根Ｄ１に一方の箸１ａの先端部２ｂを突き刺すと共に、他方の箸１ｂの先端部９ｂの挟着部１２で小分けした大根Ｄ１の外周面を挟む。これにより、一方の箸１ａの先端部２ｂにはその胴部２の長手方向に対して直交する横溝６が設けられているので、その横溝６が抵抗となって小分けした大根Ｄ１から一方の箸１ａが抜け難い。しかも、他方の箸１ｂの先端部９ｂの挟着部１２にはその側縁に切欠１３が設けられているので、該切欠１３が外周面に食い込み小分けした大根Ｄ１が滑って落下するのを防止することになり、小分けされた大根Ｄ１が二本の箸１ａ，１ｂで掴み易く落ち難くなる。よって、安心して食することができる。
【００２１】
このように、本発明に係る一対の箸Ａは、二本の箸１ａ，１ｂを基端部２ａ，９ａ側で円弧状部４と通孔１１とにより係合させるようにしたので、二本の箸１ａ，１ｂの必要のない動作が自動的に規制され安定することから、手に持ったときの感覚が良い。しかも、両箸１ａ，１ｂの先端部２ｂ，９ｂを互いに近づけようとすると、両先端部２ｂ，９ｂが互いに反発して離れようとする弾性力が働くので、例えば焼き魚の身に切れ目を入れてそこを広げて身を剥がしたり、ハンバーグに切れ目を入れそこを広げて小分けする場合に、その反発力が切れ目を広げようとする方向へ働くので、切れ目が広げ易くこれら魚やハンバーグといった料理が食べ易い。また、二本の箸１ａ，１ｂは基端部２ａ，９ａで連結されているので、食事中にその一方を不注意で滑らせ落すといったことがない。食後は両箸の基端部の係合を外すことにより二本の箸１ａ，１ｂに分離できるので、通常の箸と同様に洗浄がし易い。
【００２２】
また、円弧状部４と通孔１１を係合させた状態で、一方の箸１ａの先端部２ｂであって他方の箸１ｂと対向する面に長手方向に対して直交する横溝６を設け、他方の箸１ｂの先端部９ｂには一方の箸１ａと対向する面に沿って該他方の箸１ｂの幅よりも広い挟着部１２を設けると共に該挟着部１２の側縁に切欠１３を設けるようにしている。よって、例えば輪切りにした煮物の大根Ｄを食する場合、小分けした大根Ｄ１を一方の箸１ａの先端部２ｂで突き刺すと共に、他方の箸１ｂの先端部９ｂの挟着部１２によりその小分けした大根Ｄ１の側面に密着させるようにすれば、しっかりとその大根を掴むことができ箸１ａ，１ｂから滑り落ちるといったことがない。
【００２３】
本発明にあっては、一本の箸１ｂを弾性に優れた素材により成形するようにしたが、両箸１ａ，１ｂ共に弾性に優れた素材により成形するようにしても良い。また、支点突部５はどちらの箸１ａ，１ｂに設けるようにしても良く、更に、二本の箸１ａ，１ｂの基端部２ａ，９ａ側の円弧状部４と通孔１１の位置関係についても、どちらに円弧状部４または通孔１１が設けられていても良いことは勿論である。
【符号の説明】
【００２４】
１ａ            箸
１ｂ            箸
２              胴部
２ａ            基端部
２ｂ            先端部
３              差込口
４              係合部（円弧状部）
５              支点突部
６              横溝
７              突条
８              被覆部
９              胴部
９ａ            基端部
９ｂ            先端部
１０            幅広部
１１            被係合部（通孔）
１２            挟着部
１２ａ          窪み面
１３            切欠
１４            凸部
１５            被覆部
Ａ              一対の箸
【図１】
2013017544.tif 000003
【図２】
2013017544.tif 000004
【図３】
2013017544.tif 000005
【図４】
2013017544.tif 000006
【図５】
2013017544.tif 000007
【図６】
2013017544.tif 000008
【図７】
2013017544.tif 000009